(57)【要約】【課題】  カメラの姿勢（上下左右の回転）を変えるだけで、即ち、機器の持ち方ひとつで、ユーザーの操作習熟度に合わせたカメラ操作性を提供する。【解決手段】  カメラの姿勢（上下左右の回転）角度を検出する角度検出手段と、前記角度に応じてキーの有効／無効を切り替える手段と、前記角度に応じてメニューの内容に制限をかける手段により、前記課題を解決する。【選択図】  図１
2009130826.tif 000002
【特許請求の範囲】
【請求項１】
機器の姿勢角度を検出する角度検出手段を有し、前記検出角度に応じて機器の機能を変更することを特徴とする電子機器。
【請求項２】
機器の各種操作を指示する複数の操作ＳＷ手段を有し、前記検出角度に応じて、前記各々の操作ＳＷの有効／無効を変更することを特徴とする請求項１に記載の電子機器。
【請求項３】
機器の各種設定を行うメニュー設定手段と、メニュー表示手段と、メニューを操作する操作ＳＷ手段を有し、前記検出角度に応じて、メニューの内容を変更することを特徴とする請求項１に記載の電子機器。
【請求項４】
前記検出角度に応じて、使用者の機器操作の習熟度に合わせた操作性に切り替えることを特徴とする請求項１〜請求項３のいずれかに記載の電子機器。
【請求項５】
情報表示手段を有し、前記切り替えを行った操作性の状態を表示することを特徴とする請求項４に記載の電子機器。
【発明の詳細な説明】
【技術分野】
【０００１】
本発明は、姿勢角度に応じて電子機器の機能を変更する方法に関するものである。
【背景技術】
【０００２】
従来の技術には、片手で、順手および逆手でも、ズーム、撮影ＯＮ・ＯＦＦ、再生のパンハンドルのリモートコントロール操作を容易とするものがある。（例えば、特許文献１参照。）
また、二つの筐体がなす角度により機能が異なる通信機能付き撮像装置（角度に応じて、通信と撮影を切り替える）のようなものがある。（例えば、特許文献２参照。）
【特許文献１】特開平１１−０８４５２４号公報
【特許文献２】特開２００２−２０９１３３号公報
【発明の開示】
【発明が解決しようとする課題】
【０００３】
従来、機器の姿勢を変えても、同等の機能を満足させるようなＳＷレイアウトにして、その姿勢に応じて、ＳＷそのものの機能を変更させたり、携帯電話の様に、２つの筐体がヒンジで接続されており、その２つの筐体が成す角度に応じて、機器の機能を変更させたりするものがある。
【０００４】
しかしながら、上記の従来例は、操作者の機器の操作習熟度に応じて機能を変更させるものではない。近年の、特に携帯機器は、多機能化されており、ＳＷ類も多く、操作も非常に複雑になってきている。全ての機能を使いこなす、上級ユーザーにとってはそれでも問題ないが、基本的な一部の機能を使えれば十分という、初心者ユーザーにとっては決して好ましいものではない。
【０００５】
本出願に関わる発明の目的は、デジタルカメラのような携帯電子機器において、カメラの姿勢（上下左右の回転）、つまり、持ち方ひとつで、使用者の機器操作習熟度に合わせた、快適な機器操作性を提供することである。
【課題を解決するための手段】
【０００６】
本出願における第１の発明は、機器の姿勢角度を検出する角度検出手段を有し、前記検出角度に応じて機器の機能を変更することを特徴とする。
【０００７】
本出願における第２の発明は、機器の各種操作を指示する複数の操作ＳＷ手段を有し、前記検出角度に応じて、前記各々の操作ＳＷの有効／無効を変更することを特徴とする。
【０００８】
本出願における第３の発明は、機器の各種設定を行うメニュー設定手段と、メニュー表示手段と、メニューを操作する操作ＳＷ手段を有し、前記検出角度に応じて、メニューの内容を変更することを特徴とする。
【０００９】
本出願における第４の発明は、前記検出角度に応じて、使用者の機器操作の習熟度に合わせた操作性に切り替えることを特徴とする。
【００１０】
本出願における第５の発明は、情報表示手段を有し、前記切り替え行った操作性の状態を表示することを特徴とする。
【発明の効果】
【００１１】
以上説明したように、本発明によれば、
機器の姿勢角度を検出する角度検出手段を有し、前記検出角度に応じて機器の機能を変更することにより、機器の持ち方ひとつで、簡単に機器の機能を変更できるという効果がある。
【００１２】
更に、機器の各種操作を指示する複数の操作ＳＷ手段を有し、前記検出角度に応じて、前記各々の操作ＳＷの有効／無効を変更することにより、機器の持ち方ひとつで、初心者ユーザーには必要ない操作ＳＷが無効になるので、安心して、機器の操作を行えるという効果がある。
【００１３】
更に、機器の各種設定を行うメニュー設定手段と、メニュー表示手段と、メニューを操作する操作ＳＷ手段を有し、前記検出角度に応じて、メニューの内容を変更することにより、初心者に対しては、必要最小限のメニューを提供し、上級ユーザーに対しては、より高度なメニューを提供することで、どちらのユーザーにとっても使いやすいメニューを提供出来るという効果がある。
【００１４】
更に、前記検出角度に応じて、使用者の機器操作の習熟度に合わせた操作性に切り替え、前記切り替え行った操作性の状態を表示することにより、機器の操作性の状態を使用者に分かりやすくするという効果がある。
【発明を実施するための最良の形態】
【００１５】
次に、本発明の詳細を実施例の記述に従って説明する。
【００１６】
以下、本発明を実施するための第１の形態に関して説明する。
【実施例１】
【００１７】
図２は、本発明の第１の実施の形態に係るデジタルカメラの概略構成を示すブロック図である。
【００１８】
図２において、２００はカメラ部でその中にはレンズ群２０１、ＣＣＤ２０２、ＣＤＳ２０３、ＡＤＣ２０４、デジタル画像処理部２０５、ＴＧ（タイミングジェネレーター）２０６、ＴＧ用発振器２０７が含まれる。
【００１９】
レンズ群２０１から入力された光学画像は、ＣＣＤ２０２で電気信号に変換され、ＣＤＳ２０３で相関二重サンプリングによるノイズ除去処理された後、ＡＤＣ２０４でアナログ信号からデジタル信号に変換され、デジタル画像処理部２０５においてデジタル的な画像処理を施される。前記ＴＧ２０６は、ＴＧ用発振器２０７のクロック出力を基準として、ＣＣＤ２０２、ＣＤＳ２０３、ＡＤＣ２０４の処理タイミングを制御する信号を発生するタイミングジェネレーターである。
【００２０】
２１０は、操作部２１２からのキーＳＷ入力に基づいて各ブロックをコントロールし、カメラ部２００の制御や液晶パネル２１４への表示データをコントロールするシステム制御部である。このシステム制御部２１０は、いわゆるマイクロプロセッサ以外に、プログラムメモリ２１６やワークメモリ２１５等の外部メモリをコントロールするメモリコントローラ等のロジック、タイマー機能、Ｉ／Ｏポート等により構成される。
【００２１】
前記ワークメモリ２１５は、メモリバス２２０で接続され、システム制御部２１０のワークエリアとして使用されるワークメモリであり、ＳＲＡＭやＳＤＲＡＭ等からなる。プログラムメモリ２１６は、メモリバス２２０で接続され、当該機器をコントロールする制御プログラムやフォントデータを格納するメモリであり、フラッシュメモリやマスクＲＯＭ等からなる。２１７は、メモリバス２２０を経由し専用コネクタで接続される、ストレージ手段であるところの記録メディアである。記録メディアとしては、ＣＦカード、ＭＭＣカード、ＳＤカード、ＭｅｍｏｒｙＳｔｉｃｋ等がある。
【００２２】
２１８は、カメラ部２００からリアルタイムで送られてくる画像を２フレーム分蓄え、液晶パネル２１４へリアルタイムに表示する為のＳＤＲＡＭ等からなる表示バッファ１、表示バッファ２である。２１３は、システム制御部２１０からＲＧＢ信号と同期信号を入力し、液晶パネル２１４に画像を表示するための信号を生成・出力する表示制御部である。また、画像以外にも、各種のメニューや、各種インフォメーションもシステム制御部２１０の制御により表示可能である。
【００２３】
２１４は、ＴＦＴ方式の液晶パネルである。２１２は、シャッターＳＷやモードＳＷなどの各種制御用のキーＳＷを有する操作部である。また、２１１はシステム制御部２１０やメモリバス２２０や表示制御部２１３などの動作の基本となるクロックを発生する発振器である。
【００２４】
カメラ姿勢検出部２１９は、センサージャイロ等により構成され、カメラの姿勢（レンズ軸を中心にした上下左右）を検出し、姿勢情報を、システム制御部２１０に送出する。
【００２５】
図１は、本発明の実施の形態に係るデジタルカメラのＳＷレイアウト等を示す外見図である。図１−１ａは、カメラを（上下）正向きの姿勢にした場合で背面斜め上方から見た図、図１−１ｂは、同様にカメラを（上下）正向きの姿勢にした場合で背面斜め下方から見た図、図１−２ａは、カメラを（上下）反転向きの姿勢にした場合で背面斜め上方から見た図、図１−２ｂは、同様にカメラを（上下）反転向きの姿勢にした場合で背面斜め下方から見た図である。
【００２６】
１００はカメラ本体、１０１、及び、１０９はシャッターＳＷで撮影を行う場合のトリガーとなる。１０２は十字キーでメニュー操作時のカーソルの移動等を行い、１０３はメニューＳＷでメニューのＯＮ／ＯＦＦを行う。１０４は電源ＳＷで、再生モード−電源切−カメラモードの切替が可能である。１０５は液晶パネルで、被写体画像、各種の情報、メニュー等を表示する。尚、前記システム制御部２１０と、表示制御部２１４により、カメラの姿勢に応じて、上下を反転して表示することが可能である。１０８は露出補正ＳＷで、マニュアル操作による露出補正を可能とする為のＳＷ、１０７はマニュアルフォーカスＳＷで、マニュアル操作によるピント合わせを可能とする為のＳＷである。１０６は調整用レバーで、前記の露出補正、又は、マニュアルフォーカスの調整を行う為のレバーである。尚、図面上の記載は無いが、液晶パネルの反対側の面には、レンズ、ストロボ等が配置されている。
【００２７】
図１に示すとおり、図１−１の（上下）正向きの状態では、１０１、１０４、１０３、１０２の各ＳＷが操作しやすく、１０９、１０８，１０７，１０６の各ＳＷは操作しにくいように配置されている。また、逆に、図１−２の（上下）反転向きの状態では、１０９、１０８，１０７，１０６、１０４、１０３、１０２の各ＳＷが操作しやすく、１０１のＳＷは操作しにくいように配置されている。
【００２８】
次に、カメラの姿勢に応じて、機能を変更する場合に関して、図３のカメラ姿勢に応じたＳＷ機能制限の動作フローチャートを用いて説明する。
【００２９】
Ｓ３０２で、カメラ姿勢検出部２１９からの情報を取得する。Ｓ３０３で前記の情報からカメラ姿勢が、（上下）「正」向きか／否かを判定し、「正」向きであればＳ３０７へ、そうでなければＳ３０４へ分岐する。Ｓ３０７では［フルオート］モード表示（図１−１ａの１１０参照）を行い、カメラを［フルオート」モード（初心者向けモード）に設定する。更に、Ｓ３０８では、１０９シャッターＳＷ、１０８露出補正ＳＷ、１０７マニュアルフォーカスＳＷ、１０６調整用レバーを無効とし、結果、使用者に対しては、撮影系のＳＷとして、１０１シャッターＳＷのみを有効とすることで、不用意に他のＳＷを操作してしまっても、混乱しないように［フルオート］モードの撮影を可能とする。
【００３０】
一方、Ｓ３０４では前記の情報からカメラ姿勢が、（上下）「反転」向きか／否かを判定し、「反転」向きであればＳ３０５へ、そうでなければ、カメラは正しい姿勢では無いと判断し、Ｓ３０２へ戻る。Ｓ３０５では［マニュアル］モード表示（図１−１ｂの１１１参照）を行い、カメラを［マニュアル」モード（上級者向けモード）に設定する。更に、Ｓ３０６では、１０１シャッターＳＷを無効とし、撮影系のＳＷとして、１０９シャッターＳＷ、１０８露出補正ＳＷ、１０７マニュアルフォーカスＳＷ、１０６調整用レバーを有効とすることで、撮影条件に合わせて、露出補正や、マニュアルフォーカス調整が可能な［マニュアル］モードの撮影を可能とする。
【００３１】
以下、本発明を実施するための第２の形態に関して説明する。
【実施例２】
【００３２】
本発明の第２の実施の形態に係るデジタルカメラの概略構成を示すブロック図、及び、本発明の実施の形態に係るデジタルカメラのＳＷレイアウト等を示す外見図に関しては、実施例１と同様の為、説明を省略する。
【００３３】
次に、カメラの姿勢に応じて、メニューの項目を変更する場合に関して、図５のカメラ姿勢に応じたメニュー項目制限の動作フローチャートを用いて説明する。
【００３４】
Ｓ５０２で、カメラ姿勢検出部２１９からの情報を取得する。Ｓ５０３で前記の情報からカメラ姿勢が、（上下）「正」向きか／否かを判定し、「正」向きであればＳ５０７へ、そうでなければＳ５０４へ分岐する。Ｓ５０７ではメニューＳＷ１０３が押されたか／否かを判定し、押されていなければＳ５０２へ戻る。押されていれば、Ｓ５０８で［フルオート］モード用メニュー表示（図４−１参照）を行い、Ｓ５０９へ移行する。
【００３５】
Ｓ５０４では前記の情報からカメラ姿勢が、（上下）「反転」向きか／否かを判定し、「反転」向きであればＳ５０５へ、そうでなければ、カメラは正しい姿勢では無いと判断し、Ｓ５０２へ戻る。Ｓ５０５ではメニューＳＷ１０３が押されたか／否かを判定し、押されていなければＳ５０２へ戻る。押されていれば、Ｓ５０６で［マニュアル］モード用メニュー表示（図４−２参照）を行い、Ｓ５０９へ移行する。
【００３６】
Ｓ５０９ではメニューＳＷ１０３が押されたか／否かを判定し、押されていればＳ５１２へ分岐し、Ｓ５１２でメニュー終了処理を行い、Ｓ５０２へ戻る。押されていなければ、Ｓ５１０で十字キー１０２が操作されたか／否かを判定し、操作されていたらＳ５１１でメニューの設定処理を行い、Ｓ５０９へ戻る。
【００３７】
次に、［フルオート］用メニュー表示と、［マニュアル］用メニュー表示に関して、図４のカメラ姿勢に応じたメニュー表示を用いて説明する。
【００３８】
図４−２は、［マニュアル］モード用メニュー表示で、項目としては、・シャッタースピード、・オートスローシャッター、・ズームスピード、・フォーカス優先、・静止画確認時間 と、５つの項目が表示されており、それぞれ設定可能となっている。これらの項目は、カメラの細かい撮影機能の設定に関わるものが多く、いわゆる上級者向けの内容となっている。
【００３９】
これに比べて、図４−１は、［フルオート］モード用メニュー表示で、項目としては、・ズームスピード、・静止画確認時間 の２つの項目しか表示されていない。これら２つの項目に関しては、初心者にも理解しやすい項目で、当然、設定する可能性のある項目である。
【００４０】
このように、カメラの姿勢に応じて、メニューの項目を変更させることで、カメラの使用者の操作習熟度に応じたメニュー項目を提供することを可能としている。
【図面の簡単な説明】
【００４１】
【図１】デジタルカメラの姿勢。
【図２】デジタルカメラのブロック図。
【図３】カメラ姿勢に応じたＳＷ機能制限の動作フローチャート。
【図４】カメラ姿勢に応じたメニュー表示。
【図５】カメラ姿勢に応じたメニュー項目制限の動作フローチャート。
【符号の説明】
【００４２】
２００  カメラ部
２０１  レンズ群
２０２  ＣＣＤ
２０３  ＣＤＳ
２０４  ＡＤＣ
２０５  デジタル画像処理部
２０６  ＴＧ
２０７  ＴＧ用発振器
２１０  システム制御部
２１１  システム制御部用発振器
２１２  操作部
２１３  表示制御部
２１４  液晶パネル
２１５  ワーク用メモリ
２１６  プログラム用メモリ
２１７  記録メディア
２１８  表示バッファ
２２０  メモリバス
【図１】
2009130826.tif 000003
【図２】
2009130826.tif 000004
【図３】
2009130826.tif 000005
【図４】
2009130826.tif 000006
【図５】
2009130826.tif 000007